(57)【要約】【課題】従来構造に簡単な構成を追加することによって取付用溝部に軸抱込部を極めて強固に固定でき、この固定部分に緩みを生じる懸念のないヒンジ装置並びにこのヒンジ装置を用いた電子機器を提供すること。【解決手段】取付用溝部６に軸抱込部７の取付部７Ａを嵌入取付した第二連結部４若しくは第一連結部３を、この取付用溝部６の側方部を外方から打撃することで取付用溝部６の溝内側面８を溝内方へ膨出させて、この溝内側面８の膨出部８Ａを取付部７Ａに圧接せしめる。【選択図】図４
2010084901.tif 000002
【特許請求の範囲】
【請求項１】
第一部材と第二部材を枢着するヒンジ装置であって、前記第一部材に連結する第一連結部若しくは前記第二部材に連結する第二連結部に枢着軸を設け、前記第二部材に連結する第二連結部若しくは前記第一部材に連結する第一連結部に取付用溝部を設けると共に、この取付用溝部に、前記枢着軸に抱き込み被嵌して回動抵抗を生じさせる軸抱込部の基部に突設した取付部を嵌入取付することで第二連結部若しくは第一連結部に前記軸抱込部を設けた構成のヒンジ装置において、前記取付用溝部に前記軸抱込部の取付部を嵌入取付した前記第二連結部若しくは前記第一連結部を、この取付用溝部の側方部を外方から打撃することで取付用溝部の溝内側面を溝内方へ膨出させて、この溝内側面の膨出部を前記取付部に圧接せしめた構成としたことを特徴とするヒンジ装置。
【請求項２】
前記第二連結部若しくは前記第一連結部の、前記軸抱込部の前記取付部を嵌入取付した前記取付用溝部の側方部の表面を点打撃して圧潰することで、取付用溝部内の溝内側面を溝内方へ膨出させて、この溝内側面の膨出部を前記軸抱込部の前記取付部に圧接せしめた構成としたことを特徴とする請求項１記載のヒンジ装置。
【請求項３】
前記第二連結部若しくは前記第一連結部の、前記軸抱込部の前記取付部を嵌入取付した前記取付用溝部の側方部の表面をポンチ打ちにより点打撃して圧潰し凹み部を形成することで、取付用溝部内の溝内側面を溝内方へ膨出させて、この溝内側面の膨出部を前記軸抱込部の前記取付部に圧接せしめた構成としたことを特徴とする請求項１，２のいずれか１項に記載のヒンジ装置。
【請求項４】
前記取付用溝部に前記軸抱込部の前記取付部を圧入固定する構成とし、この取付部を圧入固定した取付用溝部の側方部を外方から打撃することで取付用溝部の溝内側面を溝内方へ膨出させて、この溝内側面の膨出部を前記取付部に圧接せしめた構成としたことを特徴とする請求項１〜３のいずれか１項に記載のヒンジ装置。
【請求項５】
前記第二部材に連結する前記第二連結部若しくは前記第一部材に連結する前記第一連結部に前記取付用溝部を複数並設状態に設けると共に、この複数の取付用溝部に夫々前記軸抱込部の基部に突設した前記取付部を嵌入取付することで第二連結部若しくは第一連結部に前記軸抱込部を複数並設状態に設け、この各取付用溝部に前記軸抱込部の取付部を嵌入取付した前記第二連結部若しくは前記第一連結部を、この各取付用溝部の側方部を夫々外側から打撃することで各取付用溝部の溝内側面を溝内方へ膨出させて、この各溝内側面の膨出部を前記各取付部に圧接せしめた構成としたことを特徴とする請求項１〜４のいずれか１項に記載のヒンジ装置。
【請求項６】
板材を断面Ｃ状にカール折曲して前記軸抱込部を構成すると共に、この断面Ｃ状の軸抱込部を構成する板材の端部を前記取付部とし、前記第二連結部若しくは前記第一連結部に設けた前記取付用溝部の周囲の形状を、前記軸抱込部の外周面に沿設する断面円弧状に形成してこの円弧部が軸抱込部を覆う構成としたことを特徴とする請求項１〜５のいずれか１項に記載のヒンジ装置。
【請求項７】
前記第一部材を操作部を有する本体部とし、前記第二部材をこの本体部に重合するディスプレイ部を有する開閉部とし、この本体部と開閉部とを重合した閉塞状態から伏面が露出する開放方向に起伏回動自在に枢着するヒンジ装置に前記請求項１〜６のいずれか１項に記載のヒンジ装置を用いた構成としたことを特徴とするヒンジ装置を用いた電子機器。
【発明の詳細な説明】
【技術分野】
【０００１】
本発明は、ノート型パソコンや折り畳み式携帯電話などの電子機器の軸部に用いるヒンジ装置並びにこのヒンジ装置を用いた電子機器に関するものである。
【背景技術】
【０００２】
例えば、ノート型パソコンは、操作部を有する本体部（第一部材）とディスプレイ部を有する開閉部（第二部材）とを、枢着軸と軸受部とを軸着して回動自在に枢着するが、使用に際してディスプレイ部が見易いように、起立した開閉部の角度を手で押し引きして微調整した際、この角度で停止保持（フリーストップ）されることが好ましい。
【０００３】
このフリーストップを実現するヒンジ装置としては、従来、例えば本体部などの第一部材に連結する第一連結部に枢着軸を設け、開閉部などの第二部材に連結する第二連結部に圧入用溝部を設けると共に、この圧入用溝部に、前記枢着軸に抱き込み被嵌して回動抵抗を生じさせる断面Ｃ状の軸抱込部の基部に設けた圧入部を圧入固定することで第二連結部に軸抱込部を設け、前記枢着軸に軸抱込部を抱き込み被嵌することで、第一連結部に対して第二連結部を回動自在に設けた軸着構造としているものがある。
【０００４】
従って、軸抱込部による大きな回動抵抗によって所謂フリーストップが実現でき、前述のように起立角度（開放角度）の微調整が簡単に行えることになる構造である。
【発明の開示】
【発明が解決しようとする課題】
【０００５】
ところで、前述のようなフリーストップ構造のヒンジ装置においては、軸抱込部は、その基部の圧入部を第一連結部の圧入用溝部にただ圧入することによって固定された構成であるため、製作が容易である反面、幾度となく繰り返される開閉作動によりこの圧入固定部分に緩みが生じてくる懸念があり、仮にこの圧入固定部分に緩みを生じてしまうと、圧入用溝部が徐々に拡大してやがては第一連結部が破損してしまうことが考えられる。
【０００６】
本発明は、このような従来のヒンジ装置に生じる懸念を払拭しようとするもので、従来構造に簡単な構成を追加することによって取付用溝部に軸抱込部を極めて強固に固定でき、この固定部分に緩みを生じる懸念のない画期的なヒンジ装置並びにこのヒンジ装置を用いた電子機器を提供するものである。
【課題を解決するための手段】
【０００７】
添付図面を参照して本発明の要旨を説明する。
【０００８】
第一部材１と第二部材２を枢着するヒンジ装置Ｈであって、前記第一部材１に連結する第一連結部３若しくは前記第二部材２に連結する第二連結部４に枢着軸５を設け、前記第二部材２に連結する第二連結部４若しくは前記第一部材１に連結する第一連結部３に取付用溝部６を設けると共に、この取付用溝部６に、前記枢着軸５に抱き込み被嵌して回動抵抗を生じさせる軸抱込部７の基部に突設した取付部７Ａを嵌入取付することで第二連結部４若しくは第一連結部３に前記軸抱込部７を設けた構成のヒンジ装置Ｈにおいて、前記取付用溝部６に前記軸抱込部７の取付部７Ａを嵌入取付した前記第二連結部４若しくは前記第一連結部３を、この取付用溝部６の側方部を外方から打撃することで取付用溝部６の溝内側面８を溝内方へ膨出させて、この溝内側面８の膨出部８Ａを前記取付部７Ａに圧接せしめた構成としたことを特徴とするヒンジ装置に係るものである。
【０００９】
また、前記第二連結部４若しくは前記第一連結部３の、前記軸抱込部７の前記取付部７Ａを嵌入取付した前記取付用溝部６の側方部の表面を点打撃して圧潰することで、取付用溝部６内の溝内側面８を溝内方へ膨出させて、この溝内側面８の膨出部８Ａを前記軸抱込部７の前記取付部７Ａに圧接せしめた構成としたことを特徴とする請求項１記載のヒンジ装置に係るものである。
【００１０】
また、前記第二連結部４若しくは前記第一連結部３の、前記軸抱込部７の前記取付部７Ａを嵌入取付した前記取付用溝部６の側方部の表面をポンチ14打ちにより点打撃して圧潰し凹み部９を形成することで、取付用溝部６内の溝内側面８を溝内方へ膨出させて、この溝内側面８の膨出部８Ａを前記軸抱込部７の前記取付部７Ａに圧接せしめた構成としたことを特徴とする請求項１，２のいずれか１項に記載のヒンジ装置に係るものである。
【００１１】
また、前記取付用溝部６に前記軸抱込部７の前記取付部７Ａを圧入固定する構成とし、この取付部７Ａを圧入固定した取付用溝部６の側方部を外方から打撃することで取付用溝部６の溝内側面８を溝内方へ膨出させて、この溝内側面８の膨出部８Ａを前記取付部７Ａに圧接せしめた構成としたことを特徴とする請求項１〜３のいずれか１項に記載のヒンジ装置に係るものである。
【００１２】
また、前記第二部材２に連結する前記第二連結部４若しくは前記第一部材１に連結する前記第一連結部３に前記取付用溝部６を複数並設状態に設けると共に、この複数の取付用溝部６に夫々前記軸抱込部７の基部に突設した前記取付部７Ａを嵌入取付することで第二連結部４若しくは第一連結部３に前記軸抱込部７を複数並設状態に設け、この各取付用溝部６に前記軸抱込部７の取付部７Ａを嵌入取付した前記第二連結部４若しくは前記第一連結部３を、この各取付用溝部６の側方部を夫々外側から打撃することで各取付用溝部６の溝内側面８を溝内方へ膨出させて、この各溝内側面８の膨出部８Ａを前記各取付部７Ａに圧接せしめた構成としたことを特徴とする請求項１〜４のいずれか１項に記載のヒンジ装置に係るものである。
【００１３】
また、板材10を断面Ｃ状にカール折曲して前記軸抱込部７を構成すると共に、この断面Ｃ状の軸抱込部７を構成する板材10の端部を前記取付部７Ａとし、前記第二連結部４若しくは前記第一連結部３に設けた前記取付用溝部６の周囲の形状を、前記軸抱込部７の外周面に沿設する断面円弧状に形成してこの円弧部11が軸抱込部７を覆う構成としたことを特徴とする請求項１〜５のいずれか１項に記載のヒンジ装置に係るものである。
【００１４】
また、前記第一部材１を操作部12を有する本体部１とし、前記第二部材２をこの本体部１に重合するディスプレイ部13を有する開閉部２とし、この本体部１と開閉部２とを重合した閉塞状態から伏面が露出する開放方向に起伏回動自在に枢着するヒンジ装置Ｈに前記請求項１〜６のいずれか１項に記載のヒンジ装置Ｈを用いた構成としたことを特徴とするヒンジ装置を用いた電子機器に係るものである。
【発明の効果】
【００１５】
本発明は上述のように構成したから、第二連結部若しくは第一連結部に設けた取付用溝部に軸抱込部の基部に突設した取付部を嵌入取付するだけでなく、この軸抱込部の取付部を嵌入取付した前記第二連結部若しくは前記第一連結部を、この取付用溝部の側方部を外方から打撃することで取付用溝部の溝内側面を溝内方へ膨出させて、この溝内側面の膨出部を前記取付部に圧接させて軸抱込部を第二連結部若しくは第一連結部に固定するので、確実に且つ極めて強固に軸抱込部の取付部を取付用溝部内に挟着でき、第一部材に対する第二部材の回動操作により軸抱込部に対して繰り返し枢着軸が回動しても挟着固定が緩んで軸抱込部がガタつくようなことなく、長期使用に耐え得る耐久性の高いヒンジ装置となり、しかも、例えば、取付用溝部に軸抱込部の基部の取付部を圧入固定する従来構造に対して、取付用溝部の側方部を外方から打撃する工程を加えるだけで本発明は実現可能であるので、簡易に設計実現可能で量産性も確保でき、その上、軸抱込部を打撃したりして取付用溝部への固定強度を向上させるような構成でないため、軸抱込部の枢着軸への回動トルク（回動抵抗）には一切変化を生じず、設定通りの回動トルクを確実に発揮できる構成であるなど、極めて実用性に秀れた画期的なヒンジ装置並びにヒンジ装置を用いた電子機器となる。
【００１６】
また、請求項２記載の発明においては、前記第二連結部若しくは前記第一連結部を点（小範囲）で打撃するので、第二連結部若しくは第一連結部自体に打撃による変形を生じにくい上、膨出部も溝内側面の小範囲に生じることになるために、この膨出部が圧接する取付部もこの取付部を備えた軸抱込部も変形を生じることがないので、歩留まり良く量産可能となるなど、一層実用性に秀れた構成のヒンジ装置となる。
【００１７】
また、請求項３記載の発明においては、取付用溝部の溝内側面に膨出部を形成するための第二連結部若しくは第一連結部への点打撃を、ポンチ打ちにより簡易に実現可能となる一層実用性に秀れた構成のヒンジ装置となる。
【００１８】
また、請求項４記載の発明においては、取付部の取付用溝部への圧入固定作用に加えて、この溝内側面の膨出部の圧接作用で取付部（軸抱込部）を強固に取付用溝部（第二連結部若しくは第一連結部）に固定できるので、著しく高い固定強度を発揮できて一層秀れた耐久性を発揮する極めて実用性に秀れた構成のヒンジ装置となる。
【００１９】
また、請求項５記載の発明においては、第二連結部若しくは第一連結部に複数の軸抱込部を並設状態にして極めて強固に挟着固定できる構成を簡易に設計実現可能となると共に、複数の軸抱込部を用いて多様なトルク設定のヒンジ装置を設計実現可能となるなど、一層実用性に秀れた構成のヒンジ装置となる。
【００２０】
また、請求項６記載の発明においては、基端部に取付部が突設する構造の軸抱込部を簡易に設計実現可能であると共に、円弧部が軸抱込部を覆う構成であるために一層軸抱込部がガタつきにくくなって秀れた耐久性を発揮することになるなど、極めて実用性に秀れた構成のヒンジ装置となる。
【発明を実施するための最良の形態】
【００２１】
好適と考える本発明の実施形態（発明をどのように実施するか）を、図面に基づいて本発明の作用を示して簡単に説明する。
【００２２】
本発明は、単に第二連結部４若しくは第一連結部３に設けた取付用溝部６に軸抱込部７の基部に突設した取付部７Ａを嵌入取付するだけでなく、この軸抱込部７の取付部７Ａを嵌入取付した前記第二連結部４若しくは前記第一連結部３を、この取付用溝部６の側方部を外方から打撃することで取付用溝部６の溝内側面８を溝内方へ膨出させて、この溝内側面８の膨出部８Ａを前記取付部７Ａに圧接させて軸抱込部７を第二連結部４若しくは第一連結部３に固定する。
【００２３】
即ち、軸抱込部７の取付部７Ａを取付用溝部６内に極めて強固に挟着固定できる（前記第二連結部４若しくは前記第一連結部３に対して軸抱込部７を強固に固定できる。）。
【００２４】
従って、第一部材１に対する第二部材２の回動作動に際しては、軸抱込部７が枢着軸５に常に回動抵抗を付与しているため、軸抱込部７の取付部７Ａと取付用溝部６との固定部分には常に負荷が生じるが、この取付部７Ａと取付用溝部６とが極めて強固に挟着固定されていることでこの負荷に極めて良好に耐えることになり、経年使用により挟着固定が緩んで軸抱込部７がガタつくようなことなく、長期使用に耐え得る耐久性の高いヒンジ装置となる。
【００２５】
また、軸抱込部７を打撃したりして取付用溝部６への固定強度を向上させるような構成でなく、取付用溝部６を備えた第二連結部４若しくは第一連結部３を打撃するため、軸抱込部７の枢着軸５への回動トルク（回動抵抗）には一切変化を生じず、設定通りの回動トルクを確実に発揮できることになる。
【００２６】
また、本発明は、従来構造に対して取付用溝部６の側方部を外方から打撃する工程を加えるだけで実現可能であるので、簡易に設計実現可能で量産性に秀れる。
【００２７】
また、例えば、前記第二連結部４若しくは前記第一連結部３の、前記軸抱込部７の前記取付部７Ａを嵌入取付した前記取付用溝部６の側方部の表面を点打撃して圧潰することで、取付用溝部６内の溝内側面８を溝内方へ膨出させて、この溝内側面８の膨出部８Ａを前記軸抱込部７の前記取付部７Ａに圧接せしめた構成とすれば、前記第二連結部４若しくは前記第一連結部３の小さい範囲を点打撃するので、第二連結部４若しくは第一連結部３自体に打撃による変形を生じにくい上、膨出部８Ａも小範囲に生じるために、この膨出部８Ａが圧接する取付部７Ａもこの取付部７Ａを備えた軸抱込部７も変形を生じることがないなど、一層実用的となる。
【００２８】
尚、請求項２中の「点打撃」なる記載は、例えば、ポンチ14で打撃できる程度の小範囲を打撃することを意味している。
【００２９】
また、例えば、前記取付用溝部６に前記軸抱込部７の前記取付部７Ａを圧入固定する構成とし、この取付部７Ａを圧入固定した取付用溝部６の側方部を外方から打撃することで取付用溝部６の溝内側面８を溝内方へ膨出させて、この溝内側面８の膨出部８Ａを前記取付部７Ａに圧接せしめた構成とすれば、強固な取付部７Ａの取付用溝部６への圧入固定作用に加えて、この溝内側面８の膨出部８Ａの圧接作用で取付部７Ａ（軸抱込部７）を強固に取付用溝部６（第二連結部４若しくは第一連結部３）に固定できるので、一層秀れた耐久性を発揮することになる。
【実施例】
【００３０】
本発明の具体的な実施例について図面に基づいて説明する。
【００３１】
本実施例は、図１に示すようなノート型パソコン用に適用した場合を示している。
【００３２】
具体的には、操作部12を備えた本体部１を第一部材１とし、ディスプレイ部13を備えた開閉部２を第二部材２とし、この本体部１と開閉部２とが重合した閉塞状態から伏面が露出する開放方向に開閉部２を開放回動自在に枢着するヒンジ装置Ｈを備えている。
【００３３】
本実施例のヒンジ装置Ｈは、図２，図３に示すように、前記第二部材２に連結する第二連結部４に回り止め状態にして枢着軸５を設け、前記第一部材１に連結する第一連結部３に取付用溝部６を設けると共に、この取付用溝部６に、前記枢着軸５に抱き込み被嵌して回動抵抗を生じさせる軸抱込部７の基部に突設した取付部７Ａを嵌入取付することで第一連結部３に前記軸抱込部７を設けている。
【００３４】
この軸抱込部７は、図３，図４に示すように、帯状の板材10を断面Ｃ状にカール折曲して構成している。また、この断面Ｃ状の軸抱込部７を構成する板材10の一端部を外方へ突出させると共に、この突出端部を先細形状に形成して前記取付部７Ａとしている。
【００３５】
また、第一連結部３に設けた前記取付用溝部６は、図５に示すように前記取付部７Ａの外形状に略合致する溝形状に形成している。
【００３６】
また、図４に示すように、この取付用溝部６の周囲の形状を、前記軸抱込部７の外周面に沿設する断面円弧状に形成し、この円弧部11に軸抱込部７の取付部７Ａ側の半分程度が埋没状態となってこの埋没部分が円弧部11に覆われて、円弧部11に対して軸抱込部７がガタつきにくい状態で固定される構成としている。
【００３７】
また、図面では、前記第一連結部３に取付用溝部６を二箇所に並設状態に設けると共に、この二箇所の取付用溝部６に夫々前記軸抱込部７の基部に突設した前記取付部７Ａを嵌入取付することで第一連結部３に軸抱込部７を二個並設状態に設けた場合を示している。
【００３８】
また、図３に示すように、並設する二個の軸抱込部７は、前記枢着軸５に対する抱き込み方向が夫々反対となるようにして配置固定している。この構成により、単に十分な回動抵抗が容易に得られるだけでなく、どちらの方向に回動する場合も、回動抵抗に差を生じにくく、略等しい回動抵抗が生じることになる。即ち、本実施例で示したような断面Ｃ状の軸抱込部７は、抱き込むカール方向、即ち巻き締める方向にこの軸抱込部７を枢着軸５に対して相対的に回動する場合と反対方向即ち巻き緩む方向に相対的に回動する場合とで回動抵抗は等しくないのであるが、本実施例では、二個の軸抱込部７を用いると共に、夫々の枢着軸５に対する抱き込み方向が夫々反対となるようにして配置固定したことで、どちらの方向に回動する場合も、回動抵抗に差を生じにくくした構成としている。
【００３９】
また、本実施例では、前記取付用溝部６に前記軸抱込部７の前記取付部７Ａを圧入固定し得るように、取付用溝部６の溝幅寸法と取付部７Ａの厚み寸法とを設定構成している。
【００４０】
本実施例では、前記取付用溝部６に前記軸抱込部７の取付部７Ａを圧入固定した前記第一連結部３を、この取付用溝部６の側方部を外方から打撃することで取付用溝部６の溝内側面８を溝内方へ膨出させて、この溝内側面８の膨出部８Ａを前記取付部７Ａに圧接させて取付部７Ａを取付用溝部６に挟着固定した構成としている。
【００４１】
具体的には、図４，図６に示すように、前記第一連結部３の、前記軸抱込部７の前記取付部７Ａを嵌入取付した前記取付用溝部６の側方部の表面をポンチ14打ちにより点打撃して圧潰し凹み部９を形成することで、取付用溝部６内の溝内側面８の小範囲を溝内方へ膨出させて、この小範囲の膨出部８Ａを前記軸抱込部７の前記取付部７Ａに圧接させた構成としている。図中符号15は、前記円弧部11の打撃する側の小範囲に設けた逃げ溝であって、点打撃（ポンチ14打ち）によって変形する可能性のある円弧部11面をこの逃げ溝15に形成してある。即ち、点打撃によって逃げ溝15が膨出変形しても、溝状であるが故にこの逃げ溝15が軸抱込部７に接触することはなく、変形した円弧部11が軸抱込部７に接触することによる軸抱込部７のトルク変化を防止している。また、この逃げ溝15は、軸抱込部７と枢着軸５にグリスを補充するための溝としても機能する。
【００４２】
また、二箇所並設する各取付用溝部６に対して、この各取付用溝部６の片側の側方部の表面を一箇所ずつポンチ14打ちして夫々に取付部７Ａを挟着固定している。また、図５に示すように、並設しつつも枢着軸５に対する抱き込み方向を夫々反対としている各軸抱込部７に合わせて、ポンチ14打ち方向の夫々反対側から行った場合を示している。
【００４３】
尚、本実施例では、取付用溝部６の側方部の片側だけをポンチ14打ちした場合を示しているが、対向する両側からポンチ14打ちする構成としても良く、このようにすると、軸抱込部７（取付部７Ａ）への一層強固な挟持固定作用が得られる。また、本実施例のように片側だけをポンチ14打ちする構成でも極めて強固な挟着固定作用が得られて十分な耐久性を発揮することが確認されている上、一つの取付用溝部６に対して片側を一回ポンチ14打ちするだけで軸抱込部７の固定作業が完了するので、作業性に秀れ、量産性に秀れることになる。また、このポンチ14打ちは、手動で行っても良いし、自動ポンチ機を用いて行っても良い。
【００４４】
尚、本発明は、本実施例に限られるものではなく、各構成要件の具体的構成は適宜設計し得るものである。
【図面の簡単な説明】
【００４５】
【図１】本実施例の使用状態を示す説明斜視図である。
【図２】本実施例のヒンジ装置を示す斜視図である。
【図３】本実施例のヒンジ装置を示す分解斜視図である。
【図４】本実施例の取付用溝部への取付部の挟着固定手順を示す部分拡大説明図である。
【図５】本実施例の第一連結部の取付用溝部周辺を示す部分拡大説明図である。
【図６】本実施例の軸抱込部の取付部の、取付用溝部への挟着固定構造を示す部分拡大説明断面図である。
【符号の説明】
【００４６】
１  第一部材（本体部）
２  第二部材（開閉部）
３  第一連結部
４  第二連結部
５  枢着軸
６  取付用溝部
７  軸抱込部
７Ａ  取付部
８  溝内側面
８Ａ  膨出部
９  凹み部
10  板材
11  円弧部
12  操作部
13  ディスプレイ部
14  ポンチ
Ｈ  ヒンジ装置
【図１】
2010084901.tif 000003
【図２】
2010084901.tif 000004
【図３】
2010084901.tif 000005
【図４】
2010084901.tif 000006
【図５】
2010084901.tif 000007
【図６】
2010084901.tif 000008